(57)【要約】【課題】本発明は、使用が簡単で、装置の持ち運びができ、個人ごとの鼻カニューラがいらず、コストの安価なポータブル型酸素供給装置を提供する。【解決手段】酸素ガス供給源から供給された原料酸素ガスと、外部から取り入れた空気を混合手段により混合し、該原料酸素ガスよりも酸素濃度の低い酸素富化空気を放出口より放出してなるポータブル型酸素供給装置。【選択図】    図１
2004249033.tif 000002
【特許請求の範囲】
【請求項１】
酸素ガス供給源から供給された原料酸素ガスと、外部から取り入れた空気を混合手段により混合し、該原料酸素ガスよりも酸素濃度の低い酸素富化空気を放出口より放出してなるポータブル型酸素供給装置。
【請求項２】
該混合手段がファンであり、酸素ガス供給源から供給された原料酸素ガスと外部から取り入れた空気を、ファンの風圧により混合してなる請求項１記載のポータブル型酸素供給装置。
【請求項３】
該混合手段がポンプであり、酸素ガス供給源から供給された原料酸素ガスと外部から取り入れた空気を、ポンプの吐出圧力によって混合してなる請求項１記載のポータブル型酸素供給装置。
【発明の詳細な説明】
【０００１】
【発明の属する技術分野】
本発明は、酸素ガスを使用者に供給するためのポータブル型酸素供給装置に関する。
【０００２】
さらに詳しくは、本発明は、酸素ガス供給源から供給された原料酸素ガスと、外部から取り入れた空気を混合手段により混合し、該原料酸素ガスよりも酸素濃度の低い酸素富化空気を放出口より放出してなるポータブル型酸素供給装置である。
【０００３】
【従来の技術】
近年、大気汚染による地球環境の悪化やストレスなどで慢性的な酸素不足に陥り、健康が失われている。とのことで健康用酸素濃縮器が開発され使用されるようになった。
【０００４】
この健康用酸素濃縮器には、膜型酸素濃縮器と吸着型酸素濃縮器が用いられている。膜型酸素濃縮器は酸素濃度が約３０％であり、吸着型酸素濃縮器は酸素濃度が約９０％であるものが多い。いずれにおいても、酸素濃縮器から発生する酸素を鼻カニューラを用いて鼻腔より吸入する方式である。そのため、衛生上、鼻カニューラは吸入する人ごとに変える必要があり、また、鼻カニューラを顔面に固定するため煩わしさが伴うものであった。
【０００５】
また、過激なスポーツの後の疲労回復にスプレータイプの酸素ボンベも使用されるようになっている。このスプレータイプの酸素ボンベは、軽量、小型であり持ち運びに便利であるが、小型であるがゆえにボンベ内の酸素がすぐになくなり費用がかかるとともに、容器が無駄になるという欠点があった。
【０００６】
また、医療用等に使用されている大容量の酸素ボンベにおいては、酸素の充填圧力が高いため、圧力調整弁で圧力を下げたり、流量調整弁で流量を調整する必要があり、また重いため扱いが難しく、さらに高圧で危険であるため設置場所等の管理が面倒であった。このボンベにおいても、鼻カニューラを用いて鼻腔より吸入する方式である。
【０００７】
以上ような、酸素濃縮器や酸素ボンベには問題点があったため、使用が簡単で、持ち運びが容易にでき、鼻カニューラを用いず、コストの安価なものが望まれていた。
【０００８】
【発明が解決しようとする課題】
前記したように、本発明は、使用が簡単で、装置の持ち運びができ、鼻カニューラを用いず、コストの安価なポータブル型酸素供給装置を提供しようとするものである。
【０００９】
【発明を解決するための手段】
酸素ガス供給源から供給された原料酸素ガスと、外部から取り入れた空気を混合手段により混合し、該原料酸素ガスよりも酸素濃度の低い酸素富化空気を放出口より放出してなるポータブル型酸素供給装置を提供する。
【００１０】
【発明の実施の形態】
図１は、本発明のポータブル型酸素供給装置の第一実施態様例を示したものである。この図におけるポータブル型酸素供給装置の本体１内部には、原料酸素ガスを生成する酸素ガス発生部２が配置されており、これによって生成された原料酸素ガスは酸素ガス調整弁３を通りダクト４に送られる。また、本体１には空気取入れ口５が設けられており、外部の空気は内部にあるファン６によって空気取入れ口５から吸入され、風量調整弁７を通ってダクト４へと導かれる。
【００１１】
したがって、原料酸素ガスと空気は、ダクト４にて合流しファン６によって撹拌され、原料酸素ガスは空気で希釈され、原料酸素ガスの酸素濃度よりも低い酸素富化空気が出来上がり、放出口８より放出される。なお、ファン６は、酸素ガス発生部２において冷却ファンが使用されている場合は、その冷却ファンを兼用してもよい。酸素富化空気の酸素濃度は、酸素ガス調整弁３と風量調整弁７の開閉の調整によって行われる。この調整は本装置の製作時に行なわれるが、調整機構を本体１の操作部（図示しない）に設けることにより、使用者が調整できるようにしてもよい。
また、酸素富化空気の風向きは、風向き調整フィン９によって調整し酸素富化空気を必要とする場所に向けて送風できる。
【００１２】
図２は、本発明のポータブル型酸素供給装置の第ニ実施態様例を示したものである。この図におけるポータブル型酸素供給装置の本体１内部には、原料酸素ガスを生成する酸素ガス発生部２が配置されており、これによって生成された原料酸素ガスは酸素ガス調整弁３を通りダクトに送られる。また、本体１には吸気口１０が設けられており、外部の空気は内部にある吸引ポンプ１１によって、前記吸気口１０から吸入された後、風量調整弁７を通ってダクト４へと導かれる。
【００１３】
したがって、原料酸素ガスと空気が合流後に混合され、原料酸素ガスは空気で希釈され、原料酸素ガスの酸素濃度よりも低い酸素富化空気が出来上がり、放出口８より放出される。酸素富化空気の酸素濃度は、酸素ガス調整弁３と風量調整弁７の開閉の調整によって行われる。この調整は本装置の製作時に行なわれるが、調整機構を本体１の操作部（図示しない）に設けることにより、使用者が調整できるようにしてもよい。
また、酸素富化空気の風向きは、風向き調整フィン９によって調整し酸素富化空気を必要とする場所に向けて送風できる。
【００１４】
図３は本発明のポータブル型酸素供給装置の第三実施態様例を示したものである。この第三実施態様例は図１に示した第一実施態様例または第ニ実施態様例の基本構造を同様とし、放出口８の態様を異にするものである。ここでは、第一実施態様例と基本構造を同様にした態様で説明する。すなわち、第一実施態様例あるいは第ニ実施態様例では、出来上がった酸素富化空気は、放出口８に設けられた風向き調整フィン９を通り放出されるが、この第三実施態様例においては、調整フィン９を外し、ダクト４に配管ダクト１２を接続させ延長し、酸素富化空気を必要とする場所に送風するものである。
【００１５】
この場合、本体を使用者から離して置くことができるため、使用者においては本体１から発せられる動作音を押えることができるとともに、局所的に酸素富化が可能となる。また、調整フィン９を取り外し自在とし、風向き調整フィン９からの酸素富化空気の放出と、配管ダクト１２からの放出の両方ができるようにしてもよい。
【００１６】
本発明の第一〜第三実施態様例にあげた酸素ガス発生部２としては、吸着型（ＰＳＡ）酸素濃縮装置、あるいは膜型酸素濃縮装置、あるいは化学反応による酸素発生装置、あるいは酸素ガスボンベ、あるいは液化酸素供給装置をもちいることができるが、安定した酸素富化空気の放出、ポータブル的な使用の観点から吸着型（ＰＳＡ）酸素濃縮装置、あるいは膜型酸素濃縮装置が適当である。
【００１７】
また、本発明の実施態様例では、本体の上部に取っ手１３を設けてたが、必ずしも必要としない。
【００１８】
また、本発明の実施態様例の説明では、その構造を模式的に示したが、構成する各要素の配置や形状は実施態様例に限定されるものではない。すなわち、本発明は酸素ガス供給源２から供給された原料酸素ガスと、外部から取り入れた空気を混合手段により混合し、該原料酸素ガスよりも酸素濃度の低い酸素富化空気を放出口８より放出してなるポータブル型酸素供給装置にある。
【００１９】
【発明の効果】
本発明は、装置内部に酸素ガス供給源を有し、この酸素ガス供給源からの原料酸素ガスと、外部から取り入れた空気を混合して酸素富化空気を生成するため、複雑な構造を必要とせず酸素富化空気が安価にしかも安定して放出できる。また、使用も簡単であり、持ち運びも容易にでき、鼻カニューラの使用を必要としないポータブル型酸素供給装置を提供することができる。
【図面の簡単な説明】
【図１】本発明のポータブル型酸素供給装置の第一実施態様例を説明する図である。
【図２】本発明のポータブル型酸素供給装置の第ニ実施態様例を説明する図である。
【図３】本発明のポータブル型酸素供給装置の第三実施態様例を説明する図である。
【図１】
2004249033.tif 000003
【図２】
2004249033.tif 000004
【図３】
2004249033.tif 000005